(57)【要約】【課題】剥離紙が不要でかさばらず、配送票と配送用宛名欄のみならず、さらに受領者控えやその他情報記載欄を有し、かつ最もコンパクトで効率のよい伝票を提供すること。【解決手段】１枚の用紙を折り重ねて形成される１枚の伝票であって、当該伝票は、両端部及び配送票、受領者控え、配達用宛名欄及び情報欄から構成される上下左右の４つの区分からなり、当該両端部及び４つの区分の裏面には、折り重ねたときに粘着剤と剥離剤が、齟齬した状態で重なるように塗布されており、当該４つの区分のうち配送票及び受領者控えを構成する区分の裏面には剥離剤が、配達用宛名欄及び情報欄を構成する区分の裏面には粘着剤が塗布されていること。【選択図】図１
0003120174.tif 000002
【実用新案登録請求の範囲】
【請求項１】
１枚の用紙を折り重ねて形成される１枚の伝票であって、
当該伝票は、両端部及び配送票、受領者控え、配達用宛名欄及び情報欄から構成される上下左右の４つの区分からなり、
当該両端部及び４つの区分の裏面には、折り重ねたときに粘着剤と剥離剤が、齟齬した状態で重なるように塗布されており、
当該４つの区分のうち配送票及び受領者控えを構成する区分の裏面には剥離剤が、配達用宛名欄及び情報欄を構成する区分の裏面には粘着剤が塗布されていること、を特徴とする剥離紙が不要でコンパクトな伝票。
【請求項２】
前記両端部の裏面の粘着剤が塗布されている部分に隣接している区分の裏面には剥離剤が塗布されていること、を特徴とする請求項１に記載の剥離紙が不要でコンパクトな伝票。
【考案の詳細な説明】
【技術分野】
【０００１】
本考案は、物品等に貼付して使用する伝票類に関する。
【背景技術】
【０００２】
従来、物品等に貼付して使用される配送伝票等は、剥離紙の上に配送票や配送用宛名欄等が重ね合わされており、かさばる上に剥離紙を廃棄しなければならず、環境的な配慮の面からも製造上の効率の面からも無駄が多かった。
【０００３】
そのため、剥離紙を不要にした、受領書（配送票）と送り状（配送用宛名欄）を備えた伝票が、例えば特開２０００−４３４４８に記載されている。
【０００４】
【特許文献１】特開２０００−４３４４８（図１）
【０００５】
しかしながら、これまでに開示されている技術は、配送票と配送用宛名欄の部分を伝票にしただけであり、伝票に２つの部分しか設けることができなかった。そのため、さらに受領者控えやその他情報の記載欄など、物品に接着させたり剥離可能に接着させたりしたい部分をさらに設けたい場合には、当該伝票の上に用紙を設けるか、別にもう一組伝票が必要となり、無駄が多く、かさばり、結局従来の技術を利用することができない、という問題点があった。
【考案の開示】
【考案が解決しようとする課題】
【０００６】
そこで、本考案の目的は、剥離紙が不要でかさばらず、配送票と配送用宛名欄のみならず、さらに受領者控えやその他情報記載欄を有し、かつ最もコンパクトで効率のよい伝票を提供することである。
【課題を解決するための手段】
【０００７】
当該目的を達成するため、本考案の剥離紙が不要でコンパクトな伝票は、
１枚の用紙を折り重ねて形成される１枚の伝票であって、
当該伝票は、両端部及び配送票、受領者控え、配達用宛名欄及び情報欄から構成される上下左右の４つの区分からなり、
当該両端部及び４つの区分の裏面には、折り重ねたときに粘着剤と剥離剤が、齟齬した状態で重なるように塗布されており、
当該４つの区分のうち配送票及び受領者控えを構成する区分の裏面には剥離剤が、配達用宛名欄及び情報欄を構成する区分の裏面には粘着剤が塗布されていること、を特徴とする剥離紙が不要でコンパクトな伝票。
【０００８】
また、前記両端部の裏面の粘着剤が塗布されている部分に隣接している区分の裏面には剥離剤が塗布されていること、が好適である。
【０００９】
なお、本願において、配送票とは配達受領書として配送側が物品から剥がす必要のあるものを示す概念であり、受領者控えは物品を受け取った受領者が控えとして物品から剥がすことができるものを示す概念であり、配送用宛名欄とは送り先の記載がされ物品から剥がす必要のない荷札等を示す概念であり、情報欄とはその他メモ欄や注意書き・連絡先など、物品から剥がす必要がない情報の記載された欄を示す概念であり、特に記載すべき情報がない場合の空白を含む概念である。
【考案の効果】
【００１０】
本考案は以上の構成を有するので、使用の際は折りたたまれた一枚の伝票を手で容易に広げて、物品に貼り付けることができる。貼り付けられた伝票は一枚で構成され、凸凹やかさばりはないものである。
また物品が配送された際に、配送用宛名欄及び情報欄は物品に固着したままで、配送者は配送票のみを容易に剥がして持ち帰ることができ、受領者は受領者控えの部分のみを容易に剥がして保持することができる。
さらに、本考案の伝票は、一枚の用紙のみから伝票の連続体を生産できるので、製造効率も大変よいものである。
【００１１】
また、本考案の伝票は、剥離紙が不要で、ゴミが出ず、かさばらず、かつ配送票と配送用宛名欄のみならず受領者控えやその他情報記載欄を伝票の上に重ねることなく設けることが出来、場所をとらず、また必要な部分だけを容易に剥がすことが出来るという効果を有し、最もコンパクトかつ効率的な伝票である。
【考案を実施するための最良の形態】
【００１２】
本考案の実施の形態の一例を図面にしたがって説明する。
【００１３】
図１は本考案の伝票の表面、図２は本考案の伝票の裏面を示す図である。伝票は両端部１，２及び配送票３，配送用宛名欄４，受領者控え５，情報欄６の４つの区分から成り、左右の両端部１，２及び４つの区分３，４，５，６の裏面には粘着剤塗布部分１２，１３，１４，１５及び剥離剤塗布部分８，９，１０，１１があり、中心部から折ると粘着剤塗布部分１２，１３，１４，１５と剥離剤塗布部分８，９，１０，１１が互いに重なり、剥離可能に接着されてるものである。また、両端部１，２と各区分３，４，５，６はミシン目、又は実線により区分されている。ミシン目７は少なくとも配送票３と受領者控え５の周囲に設けられていなければならない。
さらに、図２のように粘着剤塗布部分１２，１３，１４，１５により、伝票の四隅又は四隅に近い部分が物品に固着され、伝票が勝手に剥がれることがないものである。また、両端部１，２の裏面の粘着剤塗布部分１２，１５に隣接している４つの区分の裏面９，１０に剥離剤が塗布されることにより、配送票３及び受領者控え５をミシン目に沿う形で容易に剥がすことができるものである。なお、図で示した以外の位置でも両端部に粘着剤と剥離剤を、交互に重ねたときに齟齬して重なるように塗布することも可能である。
【００１４】
また、図２のように粘着剤塗布部分１２，１３，１４，１５は全面にまんべんなく塗布されている必要はなく、ミシン目や各区分の周囲に当たる部分は未塗布にしておくことで、製造時の断裁や、伝票使用時に配送票３又は受領者控え５を剥がすことが容易となる。同様に両端部１，２の裏面においても、粘着剤又は剥離剤は全体にまんべんなく塗布されている必要はなく、粘着剤と剥離剤の間に若干の未塗布部分１６があってもよい。
【００１５】
４つの区分の表面には前述したようにそれぞれ、配送票３、配送用宛名欄４、受領者控え５、情報欄６が設けられているが、このうち配送票３と受領者控え５の裏面１０，９には剥離剤が塗布されているため、容易に剥がして所持することができる。一方配送用宛名欄４と情報欄６の裏面には粘着剤１３，１４が塗布されているため、物品に固着される。
【００１６】
図３は、物品に固着された伝票から、配送票及び受領者控えを剥がそうとする図である。
前述したように、粘着剤塗布部分１２，１３，１４，１５と剥離剤塗布部分８，９，１０，１１は互いに齟齬して接着しているため、伝票の使用者は折り重なっている伝票を剥がして広げ、伝票に貼り付けることができる。
物品が配達された際、前述のように配送票３及び受領者控え５の周囲にはミシン目７が設けられており、かつ配送票３及び受領者控え５の裏面は剥離剤塗布部分１０，９であるため、それらを手で容易に剥がすことができるものである。
【００１７】
図４は、本考案の伝票を折り重ねようとしている図である。
本考案の伝票を使用する前は折り重ねられて接着しているが、物品等に貼り付ける場合は開いて使用するものである。
【図面の簡単な説明】
【００１８】
【図１】本考案の伝票の表面を示す図である。
【図２】本考案の伝票の裏面を示す図である。
【図３】物品に固着された伝票から、配送票及び受領者控えを剥がそうとする図である。
【図４】本考案の伝票を折り重ねようとしている図である。
【符号の説明】
【００１９】
１，２                  両端部
３                      配送票
４                      配送用宛名欄
５                      受領者控え
６                      情報欄
７                      ミシン目
８，９，１０，１１      剥離剤塗布部分
１２，１３，１４，１５  粘着剤塗布部分
１６                    未塗布部分
【図１】
0003120174.tif 000003
【図２】
0003120174.tif 000004
【図３】
0003120174.tif 000005
【図４】
0003120174.tif 000006